(57)【特許請求の範囲】
【請求項１】
種々の加工食品やその他の収容物を収容する容器本体と、容器本体の上側開口面を被嵌する蓋体と、容器本体、蓋体を共に巻回して両者を締着させる締着用バンドとを有してなる容器において、締着用バンドで巻回されていない容器本体の周縁部位置には、蓋体が容器本体の開口部の内側に圧入される内嵌合式もしくは蓋体の被嵌合部が容器本体の開口部の嵌合部に嵌合される上下嵌着式のいずれかによって蓋体を容器本体に固定させる不正行為防止用の固定部を備えていて、この不正行為防止用の固定部は、容器本体の上側開口面の周縁の少なくとも一部に上下方向に沿って形成された２段状の嵌合段差部と、この嵌合段差部位置に対応した蓋体の周縁部の少なくとも一部に、嵌合段差部の上段部分の側面に係止する上部係止窪みと同じく下段部分の側面下縁に係合する下部係合窪みとを有し、上段部分の上部における容器本体、蓋体とには互いに外側方向に湾曲状に膨出して当接している係止接合部を形成して成ることを特徴とする容器。
【請求項２】
種々の加工食品やその他の収容物を収容する容器本体と、容器本体の上側開口面を被嵌する蓋体と、容器本体、蓋体の周縁部分に跨って接着させる接着テープとを有してなる容器において、接着テープで接着されていない容器本体の周縁部位置には、蓋体が容器本体の開口部の内側に圧入される内嵌合式もしくは蓋体の被嵌合部が容器本体の開口部の嵌合部に嵌合される上下嵌着式のいずれかによって蓋体を容器本体に固定させる不正行為防止用の固定部を備えていて、この不正行為防止用の固定部は、容器本体の上側開口面の周縁の少なくとも一部に上下方向に沿って形成された２段状の嵌合段差部と、この嵌合段差部位置に対応した蓋体の周縁部の少なくとも一部に、嵌合段差部の上段部分の側面に係止する上部係止窪みと同じく下段部分の側面下縁に係合する下部係合窪みとを有し、上段部分の上部における容器本体、蓋体とには互いに外側方向に湾曲状に膨出して当接している係止接合部を形成して成ることを特徴とする容器。
【請求項３】
内嵌合式の固定部は、容器本体の上側開口縁の内側に形成された内嵌合段差と、蓋体の外周縁に形成された溝条とからなり、蓋体が容器本体の上側開口面に被嵌された際には、蓋体の溝条が容器本体の内嵌合段差の立面部分に圧入されて固定可能にしてなる請求項１または２記載の容器。
【請求項４】
上下嵌着式の固定部は、容器本体の上側開口縁の上面に形成した凸条の嵌合部と、蓋体の外周縁の下面に形成した凹条の被嵌合部とからなり、蓋体が容器本体の上側開口面に被嵌された際には、容器本体の嵌合部が蓋体の被嵌合部に圧入されて固定可能にしてなる請求項１または２記載の容器。
【請求項５】
容器本体の下面周縁には、積み重ね時の下段に位置する他方の容器本体に被嵌された蓋体の上面に係合可能とした突部状の嵌合固定部を備え、該嵌合固定部には巻回する締着用バンドを挿通させる挿通凹所が形成されている請求項１または３または４記載の容器。
【請求項６】
挿通凹所は、幅員の大小が異なる締着用バンドを巻回可能とする幅員を有してなる請求項５記載の容器。
【発明の詳細な説明】
【技術分野】
【０００１】
本発明は、主として種々の加工食品やその他の収容物品を収容し、例えば弁当として販売に供するための簡易な包装形態でありながら、収容物品等に対する悪戯その他の不正行為が簡単にはできなくなるようにしたプラスチック製の容器に関する。
【背景技術】
【０００２】
従来、例えばフルーツ、野菜サラダ、菓子類、弁当素材等の種々の食材を収容可能とした容器として、食品を収納したまま販売に供し得る圧縮成形プラスチック容器が広く使用されている。この容器としては、例えばＡ−ＰＥＴもしくはＯＰＳ等のプラスチック製の透明フィルム材もしくは透明シート材によって例えば加圧真空熱成形して製作される。また、種々の食材を収納して店頭等で陳列・販売する場合、この種の容器は、食品を収納し閉蓋してから容器全体を例えば透明合成樹脂フィルム製のラッピングフィルム等で包装し、衛生的に管理できるようにしている。
【特許文献１】特になし
【発明の開示】
【発明が解決しようとする課題】
【０００３】
しかしながら、このような従来の容器においては、これら複数の容器を多段的に積み重ねて陳列した場合、個々の容器それぞれがラッピングフィルムで包装されているため、当該容器同士が互いに滑って動いてしまい、崩れてしまうことがある。しかも、このようなラッピングフィルムを使用したことにより、供食時に際し、これを破断して廃棄することになるから、廃棄物が多くなってしまう。
【０００４】
また、従来では、容器本体に被嵌された蓋体の上面に、積み重ね時の上段に位置する他方の容器本体の下面を載せた際に、当該他方の容器本体が下段位の蓋体の上面で滑って転落してしまうことがないようにするために、容器本体の下面周縁に、他方の容器本体に被嵌された蓋体の上面に係合可能とした嵌合固定部を当該下面周縁に沿って形成するという処置がなされている。
【０００５】
しかしながら、このような場合においても、容器本体および蓋体を含む容器全体がラッピングフィルムによって包装されていると、当該ラッピングフィルムが容器本体の下面周縁の嵌合固定部をも覆い、容器本体底面が実質的に平坦になってしまうから、これが障害となって嵌合固定部による係合が不完全な状態となる。すなわち、衛生管理の向上等を図るためのラッピングフィルムが、商品を多段的に陳列する際の一つの障害ともなり、下段位の容器本体に被嵌された蓋体の上面に上段位の他方の容器を安定した状態で載せることができなくなる。
【０００６】
また、従来のような余分な廃棄物となるラッピングフィルムを使用せずに、容器本体、蓋体を共に巻回して両者を締着させるための締着式バンドを使用したとしても、当該締着式バンドが容器本体の下面周縁の嵌合固定部をも覆い、容器本体底面が実質的に平坦になってしまい、これが障害となって嵌合固定部による係合が不完全な状態となることには変わりがない。しかも、締着式バンドが巻回されていない側方から蓋体を開けることができてしまうことから、例えば異物を側方から混入したり、箸を側方から入れて食品を盗み食いしたり等でいたずらされる虞がある。
【０００７】
そこで、本発明は叙上のような従来存した諸事情に鑑み創出されたもので、容器本体、蓋体を共に締着用バンドによって巻回することにより、あるいは接着テープにて接着固定することで、従来のような余分な廃棄物となるラッピングフィルムを使用しなくて済み、しかもこのような締着式バンド、接着テープ等を使用しても、店頭等での多段的な陳列に際し、下段位の容器本体に被嵌された蓋体の上面に上段位の他方の容器を安定した状態で載せておくことができ、さらに締着式バンドの巻回部分、接着テープの接着部分以外の側方から蓋体を開けることで、例えば異物を側方から混入したり、箸を側方から入れて食品を盗み食いしたり等の悪戯による不正行為を未然に防げるものとした容器を提供することを目的とする。
【課題を解決するための手段】
【０００８】
上述した課題を解決するため、本発明にあっては、種々の加工食品やその他の収容物を収容する容器本体２と、容器本体２の上側開口面を被嵌する蓋体３と、容器本体２、蓋体３を共に巻回して両者を締着させる締着用バンド４とを有してなる容器１において、締着用バンド４で巻回されていない容器本体２の周縁部位置には、蓋体３が容器本体２の開口部の内側に圧入される内嵌合式もしくは蓋体３の被嵌合部１４が容器本体２の開口部の嵌合部１２に嵌合される上下嵌着式のいずれかによって蓋体３を容器本体２に固定させる不正行為防止用の固定部５を備えたものである。
内嵌合式の固定部５は、容器本体２の上側開口縁の内側に形成された内嵌合段差２ａと、蓋体３の外周縁に形成された溝条３ｄとからなり、蓋体３が容器本体２の上側開口面に被嵌された際には、蓋体３の溝条３ｄが容器本体２の内嵌合段差２ａの立面部分に圧入されて固定可能にしてなるものとすることができる。
上下嵌着式の固定部５は、容器本体２の上側開口縁の上面に形成した凸条の嵌合部１２と、蓋体３の外周縁の下面に形成した凹条の被嵌合部１４とからなり、蓋体３が容器本体２の上側開口面に被嵌された際には、容器本体２の嵌合部１２が蓋体３の被嵌合部１４に圧入されて固定可能にしてなるものとすることができる。
容器本体２の下面周縁には、積み重ね時の下段に位置する他方の容器本体２に被嵌された蓋体３の上面に係合可能とした突部状の嵌合固定部６を備え、該嵌合固定部６には巻回する締着用バンド４を挿通させる挿通凹所６ａが形成されているものとすることができる。
挿通凹所６ａは、幅員の大小が異なる締着用バンド４を巻回可能とする幅員を有してなるものとすることができる。
また、種々の加工食品やその他の収容物を収容する容器本体２と、容器本体２の上側開口面を被嵌する蓋体３と、容器本体２、蓋体３の周縁部分に跨って接着させる接着テープ２１とを有してなる容器において、接着テープ２１で接着されていない容器本体２の周縁部位置には、蓋体３が容器本体２の開口部の内側に圧入される内嵌合式もしくは蓋体３の被嵌合部１４が容器本体２の開口部の嵌合部１２に嵌合される上下嵌着式のいずれかによって蓋体３を容器本体２に固定させる不正行為防止用の固定部５を備えたものである。
不正行為防止用の固定部５は、容器本体２の上側開口面の周縁の少なくとも一部に上下方向に沿って形成された２段状の嵌合段差部２２と、この嵌合段差部２２位置に対応した蓋体３の周縁部の少なくとも一部に、嵌合段差部２２の上段部分２２ａの側面に係止する上部係止窪み２３と同じく下段部分２２ｂの側面下縁に係合する下部係合窪み２４とを有し、上段部分２２ａの上部における容器本体２、蓋体３とには互いに外側方向に湾曲状に膨出して当接している係止接合部３１を形成して成るものとすることができる。
【０００９】
以上のように構成された本発明に係る容器１にあって、締着用バンド４で巻回されていない容器１の周縁部位置に形成された不正行為防止用の固定部５は、蓋体３を内嵌合式もしくは上下嵌着式のいずれかによって容器本体２にしっかりと嵌合させることから、締着式バンド４が巻回されていない側方からの、あるいは接着テープ２１が接着されていない側方からの蓋体３の開放を困難にさせる。
また、巻回する締着用バンド４を挿通させる挿通凹所６ａが形成されている嵌合固定部６は、容器本体２、蓋体３を共に巻回した締着用バンド４によっても、下段位の他方の容器１の蓋体３に嵌め合わせる突部状形態をそのまま保持させ、下段位の蓋体３の上面に上段位の容器本体２下面の嵌合固定部６を確実に係合させる。
さらに、幅員が大小異なる締着用バンド４を巻回可能とする挿通凹所６ａは、広幅の締着用バンド４にあっては、挿通凹所６ａ内での当該締着用バンド４の左右方向への位置ずれを防止させ、狭幅の締着用バンド４にあっては、挿通凹所６ａ内でのいずれの位置でも巻回可能にさせる。
接着テープ２１による容器本体２と蓋体３との接着は、包装形態を一層簡易にし、また、２段状の嵌合段差部２２の上下の段部分２２ａ，２２ｂに係止、係合する上下部の係止窪み２３、係合窪み２４は容器本体２に強制的な押圧操作等によって蓋体３を容器本体２にしっかり固定させる。
【発明の効果】
【００１０】
本発明によれば、容器本体２、蓋体３を共に締着用バンド４あるいは接着テープ２１によって巻回あるいは接着することにより、従来のような余分な廃棄物となるラッピングフィルムを使用しなくて済む。しかもこのような締着式バンド４、接着テープ２１を使用しても、店頭等での多段的な陳列に際し、突部状の嵌合固定部６によって、下段位の容器本体２に被嵌された蓋体３の上面に上段位の他方の容器１を安定した状態で載せておくことができる。さらに締着式バンド４が巻回されていない側方から、あるいは接着テープ２１が接着されていない側から、蓋体３を開けることで、例えば異物を側方から混入したり、箸を側方に入れて食品を盗み食いしたり等の悪戯等による不正行為を未然に防ぐことができる。
【００１１】
より具体的には、容器本体２およびこれに被嵌した蓋体３を共に締着用バンド４によって巻回した際に、不正行為防止用の固定部５は、蓋体３を内嵌合式もしくは上下嵌着式のいずれかによって容器本体２にしっかりと嵌合させていることから、締着式バンド４が巻回されていない側方からの蓋体３の開放による不正行為を未然に防止できる。また、積み重ね時の下段位の容器本体２に被嵌された蓋体３の上面に上段位の他方の容器１を載せて、この容器本体２下面の嵌合固定部６を蓋体３の上面に係合させた際に、容器本体２、蓋体３を共に巻回した締着用バンド４が嵌合固定部６の挿通凹所６ａ内に位置しているから、嵌合固定部６の突部状形態が容器本体２の下面周縁でそのまま保持され、嵌合固定部６の内側の部分が窪んだままとなり、下段位の蓋体３に確実に安定した状態で係合させることができる。
【００１２】
すなわち、これは本発明が、締着用バンド４で巻回されていない容器１の周縁部位置には、蓋体３が容器本体２の開口部の内側に圧入される内嵌合式もしくは蓋体３の被嵌合部１４が容器本体２の開口部の嵌合部１２に嵌合される上下嵌着式のいずれかによって蓋体３を容器本体２に固定させる不正行為防止用の固定部５を備えたからであり、これにより、締着式バンド４が巻回されていない側方からの蓋体３の開放による不正行為を未然に防止することができる。
【００１３】
内嵌合式の固定部５は、容器本体２の上側開口縁の内側に形成された内嵌合段差２ａと、蓋体３の外周縁に形成された溝条３ｄとからなり、蓋体３が容器本体２の上側開口面に被嵌された際には、蓋体３の溝条３ｄが容器本体２の内嵌合段差２ａの立面部分に圧入されて固定可能にしてなるので、容器本体２に対し蓋体３を内嵌合によってしっかりと固定でき、締着式バンド４が巻回されていない側方からの蓋体３の開放を確実に防止することができる。
【００１４】
上下嵌着式の固定部５は、容器本体２の上側開口縁の上面に形成した凸条の嵌合部１２と、蓋体３の外周縁の下面に形成した凹条の被嵌合部１４とからなり、蓋体３が容器本体２の上側開口面に被嵌された際には、容器本体２の嵌合部１２が蓋体３の被嵌合部１４に圧入されて固定可能にしてなるので、容器本体２に対し蓋体３を上下嵌着によってしっかりと固定でき、締着式バンド４が巻回されていない側方からの蓋体３の開放を確実に防止することができる。
【００１５】
容器本体２の下面周縁には、積み重ね時の下段に位置する他方の容器本体２に被嵌された蓋体３の上面に係合可能とした突部状の嵌合固定部６を備え、該嵌合固定部６には巻回する締着用バンド４を挿通させる挿通凹所６ａが形成されている。そのために、下段位の容器本体２に被嵌された蓋体３の上面に、上段位の他方の容器本体２下面の嵌合固定部６を係合した際に、容器本体２、蓋体３を共に巻回した締着用バンド４によっても、対向している嵌合固定部６部位間に空間を形成せず、嵌合固定部６内には窪んでいる嵌合空隙をそのまま保持しており、締着用バンド４が障害とならずに下段位の蓋体３上に確実に安定した状態で係合できる。その結果、容器１を積み重ね状に陳列して例えば弁当として販売するとき、容器１等は複数段に積み重ね状に保持でき、荷崩れを生じさせにくくする。
【００１６】
挿通凹所６ａは、幅員の大小が異なる締着用バンド４を巻回可能とする幅員を有してなるので、広幅の締着用バンド４にあっては、挿通凹所６ａ内での当該締着用バンド４の左右方向への位置ずれを防止でき、狭幅の締着用バンド４にあっては、挿通凹所６ａ内でのいずれの位置でも巻回可能となる等の挿通凹所６ａに対する締着用バンド４の使い勝手が向上する。
【００１７】
また、容器本体２、蓋体３を接着テープ２１にて接着することで、一層簡易な包装形態とでき、接着テープ２１による接着部分以外の部分で、容器本体２、これに被嵌する蓋体３それぞれの対応する位置で嵌合する固定部５では、容器本体２における２段状の嵌合段差部２２に、この嵌合段差部２２の上部係止窪み２２ａ、下部係合窪み２２ｂそれぞれに対して強制的な押圧操作等によって、上下部の係止窪み２３、係合窪み２４それぞれが係止、係合するから、容器本体２に蓋体３をしっかりと固定することができる。
【００１８】
しかも、上下方向に沿う２段状の嵌合段差部２２、上下部の係止窪み２３、係合窪み２４、係止接合部３１それぞれから成る固定部５は、上下２段のそれぞれの部分で容器本体２と蓋体３との周縁における所定位置で固定させるから、その固定は一層確実であり、外部からの不正開封を困難なものとし、箸を側方から入れて食品を盗み食いしたり等の悪戯による不正行為を防止すると共に、外部からの衝撃その他によって簡単には脱離せず、収容物品を衛生的に保持することができる。
【００１９】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【発明を実施するための最良の形態】
【００２０】
以下、図面を参照して本発明を実施するための最良の一形態を説明する。尚、以下においては、本発明に係る容器として、例えばコンビニエンスストア・スーパーマーケット等で販売される例えば弁当等の食品容器について説明するが、本発明に係る容器は、これに限定されず、加工食品以外の種々の収容物の容器としても幅広く応用可能である。
【００２１】
しかして図において示される符号１は、各種の加工した食品を収容可能とした容器であり、該容器１は、例えばＡ−ＰＥＴもしくはＯＰＳ等のプラスチック製、あるいはパルプ・植物性繊維、その他の素材によって薄肉に形成されている。尚、その他の素材として、例えばポリエチレン、ポリプロピレン、塩化ビニル樹脂、メラミン樹脂等の合成樹脂を使用することもでき、これら種々の素材によって本発明が限定されるものではない。
【００２２】
この容器１は、図１に示すように、種々のおかずや米飯等の食品を個別に収容するために底面から内側へ向けて突条状となって形成された仕切部Ｑを介して複数の収容部Ｐが内底部で区画状に配置された例えば平面からみて矩形トレー状の不透明な容器本体２と、該容器本体２の上側開口面に被嵌することで閉蓋可能とした透明な蓋体３とからなる。尚、容器本体２、蓋体３は図示のように平面で矩形状を呈する場合に限らず、円形、楕円形、六角形その他の好ましくは偶数角による多角形状を呈していることもあり、これらの平面形状は任意に選定可能である。
【００２３】
また、容器本体２およびこれに被嵌した蓋体３を共に巻回して両者を締着させるための例えばビニール製・紙製、またはパルプ・植物性繊維等によって形成された薄肉なフィルム状の締着用バンド４を備えている。この締着用バンド４は、所定幅員の帯状に形成されており、容器本体２、蓋体３を共に巻回するに十分な長さを有している。
【００２４】
この締着用バンド４の長手方向に沿った縁部には、例えば等間隔毎にＶ字カットを形成するか、あるいはミシン目を形成するかによって、当該締着用バンド４を如何なる箇所からでも横断方向で自由に切断することができる破断部４ａを形成してある。
【００２５】
また、締着用バンド４で巻回されない容器１の周縁部位置には、蓋体３を内嵌合式によって容器本体２にしっかりと固定させることで、いたずらによる不正行為を防止可能にした固定部５を備えている。
【００２６】
すなわち、容器本体２は、図１および図２の円内拡大図で示したように、その上側開口縁において、内向段状に形成され且つ立面部分が上部に至るに伴い次第に容器本体２の内方に傾斜してなる嵌合用の内嵌合段差２ａを介して、フラットな環状縁部２ｂが内嵌合段差２ａの外方に形成され、この環状縁部２ｂ外周には、断面略Ｔ字状のフランジ部２ｃが形成されている。
【００２７】
また、蓋体３は、矩形平面状で膨出されている中央の天面部３ｂの周囲に傾斜面３ｃが形成され、該傾斜面３ｃの下縁である蓋体３の周縁には凹状の溝条３ｄを介してフラットなフランジ部３ａを備えることで、全体が側面から見て略台形トレー状に形成されている。尚、天面部３ｂの上面中央には、容器本体２の後述する嵌合固定部６に係合するための略偏平矩形状の凸面による段積み載置用係合部７が形成されている。また、締着用バンド４が巻回されていない蓋体３のフランジ部３ａの左右両側には、当該蓋体３を容器本体２から外すための細幅舌片状のツマミ８が形成されている。
【００２８】
そして、不正行為防止用の固定部５は、容器本体２の内嵌合段差２ａと、蓋体３の溝条３ｄとによって構成され、この蓋体３が容器本体２の上側開口面に被嵌された際には、蓋体３の溝条３ｄが容器本体２の内嵌合段差２ａの立面部分に圧入され、且つ蓋体３のフランジ部３ａ下面が容器本体２の環状縁部２ｂ上面に、また蓋体３のフランジ部３ａ先端が容器本体２のフランジ部２ｃ内面にそれぞれ係止されることによってしっかりと固定できるようにしてある。
【００２９】
図２に示すように、容器本体２の下面周縁には、容器１の周縁部位置にある固定部５を避けるようにして、嵌合固定部６の挿通凹所６ａが形成されている。すなわち、容器本体２の下面周縁には、積み重ね時の下段に位置する他方の容器本体２に被嵌された蓋体３の上面に形成されている段積み載置用係合部７に係合可能とした突部状の嵌合固定部６を備え、該嵌合固定部６には、前記周縁部位置にある固定部５以外の箇所に対応した位置に設けられることで、容器本体２、蓋体３を共に巻回する締着用バンド４を挿通させるよう、突部状の嵌合固定部６の一部を切除するようにすることで挿通凹所６ａが形成されている。これは、下段に位置する容器本体２に被嵌された蓋体３の上面に、上段に積み重ねる他方の容器１を載せた際に、容器本体２、蓋体３を共に巻回している締着用バンド４が嵌合固定部６の上面で掛け渡されることで、対向している嵌合固定部６部位の相互間で締着用バンド４部位で空隙を生じ、締着用バンド４によって嵌合固定部６が蓋体３にしっくりと嵌め合わなくなるのを防止するのである。挿通凹所６ａ内で締着用バンド４が挿通され、締着用バンド４が容器本体２の下面に密着することで、嵌合固定部６内の全域が窪んだ状態となり、締着用バンド４が障害とならずに、この嵌合固定部６によって、下段位の蓋体３の上面に上段位の容器１をしっかりと積み重ね、嵌合できるようにしてある。
【００３０】
さらに、挿通凹所６ａは、幅員の大小が異なる締着用バンド４を巻回可能とする幅員を有しており、広幅の締着用バンド４では、挿通凹所６ａ内での当該締着用バンド４の左右方向への位置ずれを防止し、また狭幅の締着用バンド４では挿通凹所６ａ内でのいずれの位置でも巻回可能となるようにしてある。
【００３１】
図３および図４には、不正行為防止用の固定部５の他の例が示されている。尚、本例において、図１および図２に示されている前記した構成と同じ部分には、同じ符号を付すことでその詳細な説明を省略する。すなわち、容器本体２は、図３および図４の円内拡大図で示したように、その上側開口縁に形成したフランジ部１１の中央に凸条の嵌合部１２が形成され、該嵌合部１２の幅員は上部に至るに伴い次第に広幅となっている。
【００３２】
また、蓋体３は、矩形平面状で膨出されている中央の天面部３ｂの周囲に傾斜面３ｃが形成され、該傾斜面３ｃの下縁である蓋体３周縁に形成された断面略Ｌ字状のフランジ部１３の水平面側には下面側から上方に向けて断面略矩形状に窪ませてなる凹条の被嵌合部１４が形成されている。この被嵌合部１４は、前記嵌合部１２に対応して、凹み内奥側に至るに伴い次第に広幅となっている。
【００３３】
そして、不正行為防止用の固定部５は、この容器本体２の嵌合部１２と、蓋体３の被嵌合部１４とによって構成され、この蓋体３が容器本体２の上側開口面に被嵌された際には、蓋体３の被嵌合部１４に容器本体２の嵌合部１２が強制的に圧入されてしっかりと固定できるようにしてある。
【００３４】
この不正行為防止用の固定部５において、互いに嵌合する嵌合部１２と被嵌合部１４とは、締着用バンド４が巻回される容器本体２、蓋体３それぞれの部位以外の部分で少なくとも形成されており、嵌合後では締着用バンド４を取り外さない限り、嵌合状態は容易には解除できないようになっている。尚、嵌合状態を解除するために、例えば容器本体２、蓋体３における嵌合部１２、被嵌合部１４部位それぞれの外方に舌片状に延設することで互いに当接しているツマミ８が形成されている。
【００３５】
次に、以上のように構成された最良の形態についての使用の一例について説明する。先ず、容器本体２内部の各収容部Ｐ箇所に米飯およびおかずやトッピング等の各種の必要とする食品を入れ、上記した内嵌合式もしくは上下嵌着式による固定部５によって蓋体３を被嵌する。
【００３６】
このとき、内嵌合式による固定部５にあっては、蓋体３の溝条３ｄを容器本体２の内嵌合段差２ａの立面部分に圧入させることにより、上下嵌着式による固定部５にあっては、蓋体３の被嵌合部１４を容器本体２の嵌合部１２に嵌合させることにより、蓋体３が容器本体２に固定される。
【００３７】
そして、図１に示すように、挿通凹所６ａ内に締着用バンド４を配置するようにして当該締着用バンド４を、容器本体２、蓋体３を共に巻回状に装着する。
【００３８】
また、容器１を複数段に段積みして保管もしくは店頭にて陳列する場合には、図２に示すように、容器本体２下面の嵌合固定部６には、容器１の周縁部位置にある固定部５を避けるようにして、挿通凹所６ａが形成されていることで、容器本体２、蓋体３を共に巻回した締着用バンド４は容器本体２下面に密着されているから、締着用バンド４自体が障害とならずに、下段位の一方の容器１の蓋体３の上面に、上段位の他方の容器１の容器本体２下面の嵌合固定部６を安定した確実な状態で嵌合させる。
【００３９】
容器１に収納された各種の食品を供食する場合には、締着用バンド４を、その破断部４ａによって切断し、内嵌合式もしくは上下嵌着式による固定部５を強制的に引き離すことによって容器本体２から蓋体３を取り外せば良い。
【００４０】
また、図５、図６においては他の実施の形態が示されており、上述の実施の形態における締着用バンド４に代えて接着テープ２１とし、不正行為防止用の固定部５は２段嵌合式構造としたものである。すなわち、容器本体２、蓋体３の周縁部分に跨って接着テープ２１にて接着させるものとし、接着テープ２１で接着されていない容器本体２の周縁部位置には、蓋体３が容器本体２の開口部の内側に圧入される内嵌合式もしくは蓋体３の被嵌合部１４が容器本体２の開口部の嵌合部１２に嵌合される上下嵌着式のいずれかによって蓋体３を容器本体２に固定させる不正行為防止用の固定部５を備えて形成する。
【００４１】
そして、図示のように不正行為防止用の固定部５は、容器本体２の上側開口面の周縁の少なくとも一部に上下方向に沿って形成された２段状の嵌合段差部２２と、この嵌合段差部２２位置に対応した蓋体３の周縁部の少なくとも一部に、嵌合段差部２２の上段部分２２ａの側面に係止する上部係止窪み２３と同じく下段部分２２ｂの側面下縁に係合する下部係合窪み２４とから形成すると共に、上段部分２２ａの上部における容器本体２、蓋体３とには互いに外側方向に湾曲状に膨出して当接している係止接合部３１を形成して成る（図６参照）。後述するように、内嵌合固定部２５によって、容器本体２と蓋体３とを固定するとき、内嵌合固定部２５による強制的な嵌め合いと共にこの固定部５における嵌合段差部２２、上部係止窪み２３、下部係合窪み２４、係止接合部３１それぞれの強制的な嵌め合いを、容器本体２に対して蓋体３の縁部をスライドさせながらでも強制的に行うようになっている。
【００４２】
図示のように平面からみて矩形状を呈する容器本体２、蓋体３にあって、接着テープ２１による接着位置を容器本体２、蓋体３の対向する辺縁部、その少なくともいずれか一組の対向する辺縁部それぞれのほぼ中央位置とし、嵌合段差部２２、および上部係止窪み２３、下部係合窪み２４それぞれはその四隅部に配置形成することで、容器本体２と蓋体３とのしっかりとした安定的な固定保持状態としている。
【００４３】
また、図６に示すように容器本体２と蓋体３とは、特にその四隅部において、容器本体２の周縁部に突部状に形成した内嵌合隆部２６と、このうち嵌合隆部２６の内縁にほぼ強制的に嵌り込むように、蓋体３の周縁部に溝状に形成した内嵌合溝部２７とから成る内嵌合固定部２５によっても、固定嵌合されるようにしてある。
【００４４】
更に図５に示すように容器本体２と蓋体３とは、それらの辺縁部において、容器本体２の辺縁部に上方に突部状にして、側面からみてやや山形を呈するように膨出形成した本体側突部２８と、この本体側突部２８に嵌め合わせるように、蓋体３の辺縁部に同様に膨出形成した蓋体側突部２９とによって、側方特に長辺側の外側方からの異物等の侵入をも阻止するように考慮してある。
【００４５】
尚、この実施の形態における２段嵌合式の固定部５は、締着用バンド４によって容器本体２と蓋体３とを締着する場合であっても、その固定部５構造として採用できるのは勿論である。また、蓋体３において、適当な凹部、突条、窪み等によって、肉薄なシート材から形成する蓋体３自体の強度を増加させるようにしても良い。
【図面の簡単な説明】
【００４６】
【図１】本発明を実施するための最良の形態を示す分解斜視図である。
【図２】同じく多段的に積み重ねた使用状態を示す側面図である。
【図３】本発明を実施するための最良の形態の他例を示す分解斜視図である。
【図４】同じく多段的に積み重ねた使用状態を示す側面図である。
【図５】本発明を実施するための他の実施の形態を示す分解斜視図である。
【図６】同じく要部の拡大断面図である。
【符号の説明】
【００４７】
Ｐ…収容部                              Ｑ…仕切部
１…容器                                ２…容器本体
２ａ…内嵌合段差                        ２ｂ…環状縁部
２ｃ…フランジ部                        ３…蓋体
３ａ…フランジ部                        ３ｂ…天面部
３ｃ…傾斜面                            ３ｄ…溝条
４…締着用バンド                        ４ａ…破断部
５…固定部                              ６…嵌合固定部
６ａ…挿通凹所                          ７…段積み載置用係合部
８…ツマミ
１１…フランジ部                        １２…嵌合部
１３…フランジ部                        １４…被嵌合部
２１…接着テープ                        ２２…嵌合段差部
２２ａ…上段側面                        ２２ｂ…下段側面
２３…上部係止窪み                      ２４…下部係合窪み
２５…内嵌合固定部                      ２６…内嵌合隆部
２７…内嵌合溝部                        ２８…本体側突部
２９…蓋体側突部                        ３１…係止接合部
【図１】
0005106183.tif 000002
【図２】
0005106183.tif 000003
【図３】
0005106183.tif 000004
【図４】
0005106183.tif 000005
【図５】
0005106183.tif 000006
【図６】
0005106183.tif 000007